Podtech/llm-jp-corpus-v4-ja_patent huggingface dataset:
【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
少なくとも１つの光学面と第１の光軸とを有する光学部品、前記光学部品を装着するソケット、および、前記光学部品内の応力を変化させる第１の力を前記光学部品の前記第１の光軸とほぼ平行に付加する第１のマニピュレータを具え、前記第１の力は、応力複屈折を前記光学部品内に誘起するような強度を有してなる光学装置において、
前記光学部品を第１の光学部品として、少なくとも１つの光学面と第２の光軸とを有する第２の光学部品を設けるとともに、前記第２の光学部品内の応力を変化させる第２の力を前記第２の光学部品の前記第２の光軸とほぼ平行に付加する第２のマニピュレータをさらに設け、前記第２の力は、結像特性に対するスカラ量的効果を少なくとも大部分において前記第２の光学部品内に誘起するような強度を有していることを特徴とする光学装置。
【請求項２】
前記第２の力は前記第１の力と異なることを特徴とする請求項１に記載の光学装置。
【請求項３】
前記第１の光学部品が、前記第２の光学部品よりも歪光学係数が低い材料で形成されていることを特徴とする請求項１に記載の光学装置。
【請求項４】
前記第１の光学部品が、前記第２の光学部品の形状と異なる形状を有することを特徴とする請求項１に記載の光学装置。
【請求項５】
前記第１の光学部品が第１のレンズであり、前記第２の光学部品が第２のレンズであり、前記第２のレンズが前記第１のレンズの厚さとは異なる厚さを有し、前記第１のレンズの屈折力は前記第２のレンズの屈折力と少なくともほぼ同等であることを特徴とする請求項１に記載の装置。
【請求項６】
光軸を有する、マイクロリソグラフィ投影露光装置の少なくとも１つ光学部品の偏光状態に影響を及ぼすための方法であって、
前記少なくとも１つ光学部品を第１の光学部品として、応力複屈折を前記第１の光学部品内に誘起するように前記第１の光学部品に力を付加するとともに、
少なくとも第２の光学部品にも、前記第２の光学部品の結像特性に対するスカラ量的効果が前記第２の光学部品に生成されるように力を付加し、このスカラ量的効果は、前記第１の光学部品に付加された力によって誘起されたスカラ量的効果を少なくとも部分的に補償するものであることを特徴とする方法。
【請求項７】
前記第２の光学部品に付加された力は前記第１の光学部品に付加された力より低いか同じであることを特徴とする請求項６に記載の方法。
【請求項８】
前記第１の光学部品が、前記第２の光学部品よりも歪光学係数が低い材料で形成されていることを特徴とする請求項６に記載の方法。
【請求項９】
前記第１の光学部品が、前記第２の光学部品の形状と異なる形状を有することを特徴とする請求項６に記載の方法。
【請求項１０】
前記第１の光学部品が第１のレンズであり、前記第２の光学部品が第２のレンズであり、前記第２のレンズが前記第１のレンズの厚さとは異なる厚さを有し、前記第１のレンズの屈折力は前記第２のレンズの屈折力と少なくともほぼ同等であることを特徴とする請求項６に記載の方法。
【手続補正書】
【提出日】平成21年4月20日(2009.4.20)
【手続補正１】
【補正対象書類名】明細書
【補正対象項目名】発明の名称
【補正方法】変更
【補正の内容】
【発明の名称】光電変換装置
【手続補正２】
【補正対象書類名】特許請求の範囲
【補正対象項目名】全文
【補正方法】変更
【補正の内容】
【特許請求の範囲】
【請求項１】
光電変換層を備え、第１の光センサーとして機能するフォトダイオードと、
薄膜トランジスタを備え、第２の光センサーとして機能する増幅回路と、
前記フォトダイオード、及び前記増幅回路と電気的に接続されたバイアス切り替え回路と、
を有し、
前記バイアス切り替え回路を用いて前記フォトダイオード及び前記増幅回路に接続されているバイアスを切り替えることにより、前記フォトダイオードまたは前記増幅回路の薄膜トランジスタで光を検知することを特徴とする光電変換装置。
【請求項２】
請求項１において、前記薄膜トランジスタで検知する光の強度は前記フォトダイオードで検知する光の強度よりも高いことを特徴とする光電変換装置。
【請求項３】
請求項１または請求項２において、前記薄膜トランジスタが有する半導体膜と、前記光電変換層が有する半導体膜とは結晶性が異なることを特徴とする光電変換装置。
【請求項４】
請求項１または請求項２において、
前記光電変換層は、ｐ型半導体層、ｉ型半導体層及びｎ型半導体層を有することを特徴とする光電変換装置。
【請求項５】
請求項１乃至請求項４のいずれか一において、
前記フォトダイオード及び前記増幅回路は、透光性基板上に形成されていることを特徴とする光電変換装置。
【請求項６】
請求項１乃至請求項５のいずれか一において、
前記フォトダイオードで検知する光と、前記薄膜トランジスタで検知する光の入射する方向が同一方向であることを特徴とする光電変換装置。
【請求項７】
請求項１乃至請求項５のいずれか一において、
前記フォトダイオードで検知する光と、前記薄膜トランジスタで検知する光の入射する方向が、基板を中心に逆方向であることを特徴とする光電変換装置。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
光を発生する光源と、
前記光源から光が入射され複数の突出部と前記突出部の間に配置される少なくとも１つの凹陥部を有する入射面、前記光源から入射された光を出射する上部面、及び前記上部面と向き合う下部面を含み、前記光をガイドする導光板と、
を含むバックライトアセンブリ。
【請求項２】
前記凹陥部の上部及び下部は開放されたことを特徴とする請求項１記載のバックライトアセンブリ。
【請求項３】
前記導光板の入射面は複数の凹陥部を含み、前記光源は前記凹陥部にそれぞれ配置される複数の発光ダイオードを含むことを特徴とする請求項１記載のバックライトアセンブリ。
【請求項４】
前記光源と電気的に連結され、前記光源に駆動信号を提供して前記光源を駆動する印刷回路基板を更に含むことを特徴とする請求項３記載のバックライトアセンブリ。
【請求項５】
前記凹陥部には前記入射光を拡散させる光拡散パターンが形成されていることを特徴とする請求項４記載のバックライトアセンブリ。
【請求項６】
前記光源と前記導光板を収納し、前記導光板の突出部と接触する収納容器を更に含むことを特徴とする請求項５記載のバックライトアセンブリ。
【請求項７】
画像を表示する液晶表示パネルと、
前記液晶表示パネルに光を提供するための光源と、
前記光源から光が入射され複数の突出部と前記突出部の間に配置される少なくとも１つの凹陥部を有する入射面、前記光源から入射された光を出射する上部面、及び前記上部面と向き合う下部面を含み、前記光をガイドする導光板と、を含む液晶表示装置。
【請求項８】
前記凹陥部の上部及び下部は開放されたことを特徴とする請求項７記載の液晶表示装置。
【請求項９】
前記凹陥部には前記入射光を拡散させる光拡散パターンが形成されていることを特徴とする請求項７記載の液晶表示装置。
【請求項１０】
前記導光板の入射面は複数の凹陥部を含み、前記光源は前記凹陥部にそれぞれ配置される複数の発光ダイオードを含むことを特徴とする請求項７記載の液晶表示装置。
【請求項１１】
前記光源と電気的に連結され、前記光源に駆動信号を提供して前記光源を駆動する印刷回路基板を更に含むことを特徴とする請求項１０記載の液晶表示装置。
【請求項１２】
前記印刷回路基板は、前記導光板の端部に配置されることを特徴とする請求項１１記載の液晶表示装置。
【請求項１３】
前記光源と前記導光板を収納し、前記導光板の突出部と接触する第１収納容器を更に含むことを特徴とする請求項１０記載の液晶表示装置。
【請求項１４】
前記導光板は固定部材を含み、前記第１収納容器は前記導光板の固定部材を収納する固定溝を含むことを特徴とする請求項１３記載の液晶表示装置。
【請求項１５】
前記第１収納容器と結合される第２収納容器、及び前記第２収納容器と前記導光板の間に配置される反射板を更に含むことを特徴とする請求項１３記載の液晶表示装置。
【請求項１６】
前記第２収納容器と結合され前記液晶表示パネルを覆うトップシャーシを更に含むことを特徴とする請求項１５記載の液晶表示装置。
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
光を出射する複数の光源と、
前記複数の光源を実装する複数の金属コアプリント回路基板と、を備え、
前記複数の金属コアプリント回路基板は、予め設定された領域内で相互に直接接続されて前記光を面出射することを特徴とするバックライトアセンブリ。
【請求項２】
前記複数の金属コアプリント回路基板は、一の側面に凸状ユニットが形成されている複数の第１金属コアプリント回路基板と、一の側面に凹状ユニットが形成されている複数の第２金属コアプリント回路基板と、を備え、
前記凹状ユニットと前記凸状ユニットとが取り付けられて、前記第１金属コアプリント回路基板と前記第２金属コアプリント回路基板とが電気的に接続されることを特徴とする請求項１に記載のバックライトアセンブリ。
【請求項３】
前記凹状ユニットは、前記第２金属コアプリント回路基板の表面に溝が形成されてなり、前記凸状ユニットは、前記凹状ユニットに重畳することにより当該凹状ユニットに取り付けられることを特徴とする請求項２に記載のバックライトアセンブリ。
【請求項４】
前記第１金属コアプリント回路基板の前記一の側面に隣接する他の側面に凹状ユニットが形成されていることを特徴とする請求項２に記載バックライトアセンブリ。
【請求項５】
前記第２金属コアプリント回路基板の前記一の側面に隣接する他の側面に凸状ユニットが形成されていることを特徴とする請求項４に記載バックライトアセンブリ。
【請求項６】
前記第１金属コアプリント回路基板と前記第２金属コアプリント回路基板とが交互に繰り返して接続されていることを特徴とする請求項５に記載のバックライトアセンブリ。
【請求項７】
連続的に接続される前記第１金属コアプリント回路基板と前記第２金属コアプリント回路基板との接続方向は交差することを特徴とする請求項６に記載のバックライトアセンブリ。
【請求項８】
前記凹状ユニット及び前記凸状ユニットのうちの少なくとも１つの端部に複数の凹部または複数の凸部が形成されていることを特徴とする請求項２に記載のバックライトアセンブリ。
【請求項９】
前記凹状ユニット及び前記凸状ユニットにそれぞれ導電部が形成されていることを特徴とする請求項２に記載のバックライトアセンブリ。
【請求項１０】
請求項１〜９のいずれか１項に記載のバックライトアセンブリと、
画像を表示するパネルユニットと、を含むことを特徴とする液晶表示装置。
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
複数の図柄列により図柄表示を行う図柄表示手段と、
前記図柄表示手段を駆動して前記図柄表示を変動させる図柄変動手段と、
前記図柄変動手段を制御する図柄変動制御手段と、
前記図柄表示の変動を開始させる入力を行う変動開始入力手段と、
前記変動開始入力手段による入力に応じて、複数種類の利益役の当否を抽選する抽選手段と、
前記図柄表示の変動を変更させる入力を行う変動変更入力手段と、
を含む遊技機であって、
前記図柄表示手段における前記複数の図柄列の各々が、前記複数種類の利益役に対応する図柄列ごとの少なくとも１種類の実質的な役構成図柄と前記少なくとも１種類の実質的な役構成図柄の各々と異なる少なくとも１つの特定図柄を含み、かつ、前記複数の図柄列の各々において前記少なくとも１つの特定図柄の配置パターンが、組合せラインを構成している有効図柄表示領域の配置パターンを含み、
前記図柄変動制御手段が、
前記変動開始入力手段による入力に応じて前記図柄変動手段の作動を開始させる変動開始制御手段と、
前記図柄表示手段による前記複数の図柄列ごとの図柄表示状態を表す図柄表示情報を保持する図柄表示情報保持手段と、
前記図柄表示情報保持手段における前記図柄表示情報を前記図柄表示の変動に応じて更新する図柄表示情報制御手段と、
前記変動変更入力手段による入力に応じて、前記図柄表示情報及び前記抽選手段における抽選結果を参照して前記図柄表示の変動を変更する変動変更制御手段と、
前記図柄表示が変動している実質的な変動時間が規定変動時間へ到達した場合に自動停止の許可判定を行う自動停止許可判定手段と、
前記自動停止許可判定手段による前記自動停止の許可判定に応じて、前記複数の図柄列のうち少なくとも１つの図柄列に対応する前記有効図柄表示領域の全てに前記特定図柄が表示された図柄表示で、前記図柄表示の変動を停止させる変動停止手段と、
を含むことを特徴とする遊技機。
【請求項２】
前記変動停止手段が、前記複数の図柄列のうち前記自動停止の許可判定の際に変動中である全ての図柄列の各々に対応する前記有効図柄表示領域の全てに前記特定図柄が表示された図柄表示で、前記図柄変動を停止させる請求項１に記載の遊技機。
【請求項３】
前記変動変更手段が、前記複数の図柄列のうち１つの図柄列の変動を停止させ、
前記変動変更手段によって停止された前記図柄列に対する前記有効図柄表示領域の多くとも一部にのみ前記特定図柄が表示される請求項１又は２に記載の遊技機。
【請求項４】
前記変動変更手段が、前記複数の図柄列のうち１つの図柄列の変動を停止させ、
前記変動変更手段によって停止された前記図柄列に対する前記有効図柄表示領域の全てに、前記役構成図柄が表示される請求項１、２又は３に記載の遊技機。
【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
固定枠に対し開閉可能に支持された扉体と、
前記固定枠に対し前記扉体を施錠する施錠装置とを備えた遊技機において、
前記施錠装置は、
鍵により操作される錠部材と、
前記錠部材の動作に連動して、前記扉体の開放を規制する係止位置と、前記扉体の開放を許容する非係止位置とに変位する鉤部材とを備え、
前記錠部材に鍵の挿入がない場合には、前記鉤部材の変位が規制される構成であるとともに、
前記鍵による操作が行われている場合には、前記錠部材に挿入された鍵が当該錠部材から離脱不能となる構成であって、
前記鉤部材を前記非係止位置に保持可能な保持部材を備えることにより、
前記扉体を開状態とした場合には、当該開状態中は前記鉤部材が前記非係止位置に継続して保持され、前記係止位置に復帰しない状態となるとともに、
前記扉体を開状態から閉状態とする際には、前記保持部材による前記鉤部材の保持が解除され、前記鉤部材が前記係止位置に復帰する構成であって、
前記保持部材の機能を使用するか否かを選択可能な切換え部材を備えるとともに、
前記切換え部材により前記保持部材の機能を使用しない状態に設定した場合において、前記鍵を用いずに前記扉体を閉じようとした場合に、前記扉体の閉鎖を規制することのできる保護部材を備えたことを特徴とする遊技機。
【請求項２】
固定枠に対し左右一側部にて開閉可能に支持された扉体と、
前記固定枠に対し左右他側部にて前記扉体を施錠する施錠装置とを備えた遊技機において、
前記施錠装置は、
前記扉体の前記左右他側部に沿って設けられ、
鍵により操作される作動部を有する錠部材と、
前記錠部材の作動部の動作に連動して摺動可能な摺動部材と、
前記摺動部材の動作に連動して、前記固定枠の内側に設けられた被係止部に対し係止されて前記扉体の開放を規制する係止位置と、前記被係止部から離脱して前記扉体の開放を許容する非係止位置とに変位する鉤部材と、
前記鉤部材を前記係止位置側へ付勢する付勢手段とを備え、
前記錠部材に鍵の挿入がない場合には、当該錠部材の作動部が変位不能となり、当該作動部により前記摺動部材の摺動変位が規制されかつ当該摺動部材により前記鉤部材の変位が規制される構成であるとともに、
前記鍵による操作が行われ、前記錠部材の作動部が基準位置から動いている場合には、前記錠部材に挿入された鍵が当該錠部材から離脱不能となる構成であって、
少なくとも前記非係止位置から前記係止位置へ向かう前記鉤部材の施錠方向への変位を規制して当該鉤部材を前記非係止位置に保持する保持位置と、前記鉤部材の変位を許容する非保持位置とに変位可能な保持部材を備え、
前記扉体が開状態にある場合において前記保持部材が前記保持位置にある場合には、前記扉体を開状態から閉状態とする際に前記保持部材が前記非保持位置に変位する構成であって、
少なくとも前記非保持位置から前記保持位置へ向かう前記保持部材の変位を規制して当該保持部材を前記非保持位置に保持する規制位置と、前記保持部材の変位を許容する解除位置とに変位可能な切換え部材を備えるとともに、
少なくとも第１位置と第２位置とに変位可能に設けられた保護部材を備え、
少なくとも前記扉体の開状態において、前記保護部材が前記第１位置にある場合には、当該保護部材が前記固定枠に接触可能な位置となって前記扉体の閉鎖が規制され、前記保護部材が前記第２位置にある場合には、当該保護部材が前記固定枠に接触不能な位置となって前記扉体の閉鎖が許容されることを特徴とする遊技機。
【請求項３】
前記保護部材は、
前記錠部材の動作に連動して変位可能に設けられ、
前記鉤部材が前記係止位置に位置する場合には、前記第１位置に位置し、
前記鉤部材が前記非係止位置に位置する場合には、前記第２位置に位置することを特徴とする請求項２に記載の遊技機。
【請求項４】
前記保護部材を前記第１位置側へ付勢する付勢手段を備えていることを特徴とする請求項２又は３に記載の遊技機。
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
固定枠に対し開閉可能に支持された遊技機本体と、
前記遊技機本体の背面側において、当該遊技機本体に対し開閉可能に支持された後扉体と、
前記遊技機本体の前面側において、当該遊技機本体に対し開閉可能に支持された前扉体とを備えた遊技機において、
鍵により操作される１つの錠部材と、
前記前扉体の開放を規制する施錠状態から、前記前扉体の開放を許容する解錠状態へ、前記鍵の第１の操作に応じて切換わる第１の施錠手段と、
前記遊技機本体及び前記後扉体の開放を規制する施錠状態から、前記遊技機本体及び前記後扉体の開放を許容する解錠状態へ、前記鍵の第２の操作に応じて切換わる第２の施錠手段とを具備した施錠装置を備えていることを特徴とする遊技機。
【請求項２】
固定枠に対し左右一側部にて開閉可能に支持された遊技機本体と、
前記遊技機本体の背面側において、当該遊技機本体に対し前記左右一側部にて開閉可能に支持された後扉体と、
前記遊技機本体の前面側において、当該遊技機本体に対し前記左右一側部にて開閉可能に支持された前扉体とを備えた遊技機において、
前記遊技機本体の左右他側部において設けられるとともに、
鍵により操作される１つの錠部材と、
前記前扉体に設けられた被係合部に対し係脱可能に設けられた前扉体用係合部を有し、前記前扉体用係合部が前記前扉体の被係合部に係合されて前記前扉体の開放を規制する施錠状態から、前記前扉体用係合部が前記前扉体の被係合部から離脱して前記前扉体の開放を許容する解錠状態へ、前記鍵の第１の操作に応じた前記錠部材の動作に連動して切換わる第１の施錠手段と、
前記固定枠に設けられた被係合部に対し係脱可能に設けられた本体用係合部、及び、前記後扉体に設けられた被係合部に対し係脱可能に設けられた後扉体用係合部を有し、前記本体用係合部が前記固定枠の被係合部に係合されて前記遊技機本体の開放を規制しかつ前記後扉体用係合部が前記後扉体の被係合部に係合されて前記後扉体の開放を規制する施錠状態から、前記本体用係合部が前記固定枠の被係合部から離脱して前記遊技機本体の開放を許容しかつ前記後扉体用係合部が前記後扉体の被係合部から離脱して前記後扉体の開放を許容する解錠状態へ、前記鍵の第２の操作に応じた前記錠部材の動作に連動して切換わる第２の施錠手段とを具備した施錠装置を備えていることを特徴とする遊技機。
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
光軸を有する対物光学系を具備し被写体の像を撮像する撮像部と、
前記光軸に対して傾斜した軸周りに前記撮像部を回転させる回転手段と、
前記回転手段によって回転される前記撮像部の回転角度を検出する回転角度検出部と、
前記回転角度検出部により検出された回転角度に基づいて前記撮像部を制御することにより、回転角度が異なる複数の被写体の像を撮像させることが可能な撮像制御部と、
前記複数の被写体の像各々を一の表示部に画像表示させるための信号処理を行う信号処理部と、
を有することを特徴とする内視鏡システム。
【請求項２】
前記撮像制御部は、前記撮像部の回転角度が所定の複数の角度に到達する毎に、前記被写体の像を撮像させることを特徴とする請求項１に記載の内視鏡システム。
【請求項３】
さらに、前記撮像部の回転速度の値を設定可能な回転速度設定部と、前記撮像部の回転速度を前記回転速度設定部において設定された値に制御する回転速度制御部と、を有し、
前記撮像制御部は、前記回転速度設定部において設定された回転速度に基づき、前記撮像部が前記被写体を撮像するタイミングを設定することを特徴とする請求項１または請求項２に記載の内視鏡システム。
【請求項４】
前記一の表示部に画像表示される前記複数の被写体の像各々は、前記撮像部の回転方向に応じて配置されることを特徴とする請求項１乃至請求項３のいずれか一に記載の内視鏡システム。
【請求項５】
さらに、前記一の表示部に画像表示される前記複数の被写体の像各々は、前記撮像部の回転角度に応じて配置されることを特徴とする請求項１乃至請求項４のいずれか一に記載の内視鏡システム。
【手続補正２】
【補正対象書類名】明細書
【補正対象項目名】０００６
【補正方法】変更
【補正の内容】
【０００６】
本発明における第１の内視鏡システムは、光軸を有する対物光学系を具備し被写体の像を撮像する撮像部と、前記光軸に対して傾斜した軸周りに前記撮像部を回転させる回転手段と、前記回転手段によって回転される前記撮像部の回転角度を検出する回転角度検出部と、前記回転角度検出部により検出された回転角度に基づいて前記撮像部を制御することにより、回転角度が異なる複数の被写体の像を撮像させることが可能な撮像制御部と、前記複数の被写体の像各々を一の表示部に画像表示させるための信号処理を行う信号処理部と、を有することを特徴とする。
【手続補正書】
【提出日】平成20年12月22日(2008.12.22)
【手続補正１】
【補正対象書類名】明細書
【補正対象項目名】０００２
【補正方法】変更
【補正の内容】
【０００２】
本出願人は、現実世界をカメラで撮影した映像と、ゲーム装置により生成される仮想世界の映像とを重ね合わせて表示することにより、現実世界と仮想世界を融合させた新しいゲーム世界を実現するゲームシステムを開発している。
【特許文献１】米国特許第７１４２７１４号明細書
【手続補正書】
【提出日】平成20年12月22日(2008.12.22)
【手続補正１】
【補正対象書類名】明細書
【補正対象項目名】０００２
【補正方法】変更
【補正の内容】
【０００２】
カードゲームが人気を博している。同種のカードゲームであっても、新しいカードセットが次々と登場しており、使用するカードによってゲームの内容が全く異なってくるため、ゲーム歴の長いプレイヤーも新鮮なゲームを楽しむことができる。また、カードを収集すること自体が、プレイヤーの楽しみの一つになっている。
【特許文献１】米国特許第７１４２７１４号明細書
【手続補正書】
【提出日】平成21年9月17日(2009.9.17)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域が形成される遊技盤と、
その遊技盤の裏面側へ導かれた遊技球を誘導する通路が形成された集合板を備え、
その集合板を前記遊技盤の裏面に固着させる部材であって頭部に操作用の溝を有するネジと、
そのネジの緩み方向への回動を規制する規制部と
を備えていることを特徴とする遊技機。
【請求項２】
請求項１に記載の遊技機において、
前記集合板のうち前記遊技盤の裏面から離間して設けられる所定領域の一部を前記遊技盤側へ向けて窪ませた窪み部と、
その窪み部の周囲であって前記集合板の所定領域と前記遊技盤の裏面との間に形成された空間部と、
その空間部の底面に貫通形成された前記ネジ用の貫通孔と、
前記空間部と前記窪み部とを連通させる係合穴と、
その係合穴に係合される係合爪、前記窪み部を塞ぐ塞ぎ部、及び前記規制部を有し、前記係止爪が前記係合穴に係止された状態で前記塞ぎ部が前記窪み部内に収まるように形成された蓋部材とを備え、
前記規制部は、前記塞ぎ部のうち前記ネジ頭部に対向する面から突出形成され前記ネジ頭部の溝に挿入されることで当該ネジの回動を規制する挿入突起であり、前記係合爪が前記係合穴に係止された状態で前記挿入突起が前記ネジ頭部の前記溝内に位置するようにし、
前記集合板が前記遊技盤の裏面に固着された状態で当該集合板からの取り外しが規制されるように、不正の対象となり得る所定の部品を取り付けた
ことを特徴とする遊技機。
【請求項３】
請求項２に記載の遊技機において、
前記所定の部品は、遊技に基づく抽選を行う主制御基板であり、
その主制御基板を収容する基板ケースと、
その基板ケースによる前記主制御基板の収容状態が解除されることを規制するものであって、所定部位を切断することで当該規制が解除されるように構成された第1封印手段と、
前記基板ケースを開閉可能に保持する取付ベースと、
その取付ベースから前記基板ケースが取り外されることを規制するものであって、所定部位を切断することで当該規制が解除されるように構成された第２封印手段と、
前記取付ベースに対して棒状に形成された軸部と、
その軸部に形成される掛止部と、
その掛止部と係合され、当該係合された状態において前記軸部の移動を規制しつつ回動については許容する部位あって、前記遊技盤の裏面と対向する前記集合板の前面側に形成された軸受け部とを備え、
前記遊技盤の裏面に固着された前記集合板の裏面側から前記掛止部及び前記軸受け部の係合状態を解除することが規制されている
ことを特徴とする遊技機。
【請求項４】
請求項２に記載の遊技機において、
前記所定の部品は、遊技に基づく抽選を行う主制御基板であり、
前記集合板には、前記遊技盤の裏面との間に前記主制御基板を収容する基板収容部が一体的に形成されている
ことを特徴とする遊技機。
【手続補正書】
【提出日】平成21年4月30日(2009.4.30)
【手続補正１】
【補正対象書類名】特許請求の範囲
【補正対象項目名】請求項８
【補正方法】変更
【補正の内容】
【請求項８】
遊技球を用いて所定の遊技を行うことが可能であり、各々を識別可能な複数種類の識別情報の可変表示を行い表示結果を導出表示する可変表示装置を備え、該可変表示装置に特定表示結果が導出表示されたときに遊技者にとって有利な特定遊技状態に移行させる遊技機であって、
前記特定遊技状態において開放状態に変化可能な可変入賞球装置と、
前記可変入賞球装置に入賞した遊技球を検出して検出信号を出力する検出手段とを備え、
遊技制御手段は、
前記特定遊技状態に移行させるか否かを表示結果の導出表示以前に決定する事前決定手段と、
前記事前決定手段の決定にもとづいて、前記可変表示装置における識別情報の可変表示の開始と可変表示時間とを特定可能な可変表示コマンドを送信する可変表示コマンド送信手段と、
前記検出手段からの前記検出信号を入力したか否かを判定する入賞判定手段と、
前記特定遊技状態以外の遊技状態において前記入賞判定手段が前記検出信号を入力したことにもとづいて、異常報知の実行を指示するための異常報知コマンドを送信する異常報知コマンド送信手段とを含み、
演出制御手段は、
前記可変表示コマンド送信手段が送信した可変表示コマンドにもとづいて前記可変表示装置において識別情報の可変表示を開始し、前記可変表示時間が経過したときに可変表示装置に表示結果を導出表示する可変表示制御手段と、
前記異常報知コマンド送信手段が送信した前記異常報知コマンドにもとづいて、演出用の電気部品により異常報知を実行する異常報知手段とを含み、
該異常報知手段は、前記可変表示制御手段が前記可変表示装置において識別情報の可変表示を実行しているときにも異常報知を実行可能であり、
出力手段は、前記異常報知手段による異常報知の実行時に、前記異常報知コマンド送信手段が送信した前記異常報知コマンドにもとづいて、前記演出用の電気部品を制御するための制御信号をシリアル信号方式で出力する
請求項１から請求項７のうちのいずれかに記載の遊技機。
【手続補正２】
【補正対象書類名】明細書
【補正対象項目名】００１８
【補正方法】変更
【補正の内容】
【００１８】
遊技機は、遊技球を用いて所定の遊技を行うことが可能であり、各々を識別可能な複数種類の識別情報（例えば、特別図柄や飾り図柄）の可変表示を行い表示結果を導出表示する可変表示装置（例えば、特別図柄表示器８や可変表示装置９）を備え、該可変表示装置に特定表示結果（例えば、大当り図柄）が導出表示されたときに遊技者にとって有利な特定遊技状態（例えば、大当り遊技状態）に移行させる遊技機であって、特定遊技状態において開放状態に変化可能な可変入賞球装置（例えば、特別可変入賞球装置２０）と、可変入賞球装置に入賞した遊技球を検出して検出信号を出力する検出手段（例えば、カウントスイッチ２３）とを備え、遊技制御手段は、特定遊技状態に移行させるか否かを表示結果の導出表示以前に決定する事前決定手段（例えば、遊技制御用マイクロコンピュータ５６０において、ステップＳ６２，Ｓ６３の処理を実行する部分）と、事前決定手段の決定にもとづいて、可変表示装置における識別情報の可変表示の開始と可変表示時間とを特定可能な可変表示コマンド（例えば、変動パターンコマンド）を送信する可変表示コマンド送信手段（例えば、遊技制御用マイクロコンピュータ５６０において、ステップＳ１０３の処理を実行する部分）と、検出手段からの検出信号を入力したか否かを判定する入賞判定手段（例えば、遊技制御用マイクロコンピュータ５６０において、ステップＳ３４１〜Ｓ３４８、Ｓ３６１〜Ｓ３６６，Ｓ３６１の処理を実行する部分。特に、カウントスイッチ入力ビット判定値を用いてステップＳ３６５，Ｓ３６１の処理を実行する部分）と、特定遊技状態以外の遊技状態において入賞判定手段が検出信号を入力したことにもとづいて、異常報知の実行を指示するための異常報知コマンドを送信する異常報知コマンド送信手段（例えば、遊技制御用マイクロコンピュータ５６０において、ステップＳ５８５，Ｓ５８７〜Ｓ５８９の処理を実行する部分）とを含み、演出制御手段は、可変表示コマンド送信手段が送信した可変表示コマンドにもとづいて可変表示装置において識別情報の可変表示を開始し、可変表示時間が経過したときに可変表示装置に表示結果を導出表示する可変表示制御手段（例えば、演出制御用マイクロコンピュータ１００において、ステップＳ８００〜Ｓ８０３の処理を実行する部分、図柄制御用マイクロコンピュータ１００ａにおいて、ステップＳ８００〜Ｓ８０３と同様の処理を実行する部分）と、異常報知コマンド送信手段が送信した異常報知コマンドにもとづいて、演出用の電気部品により異常報知を実行する異常報知手段（例えば、演出制御用マイクロコンピュータ１００において、ステップＳ１９２４〜Ｓ１９２９，Ｓ１９７７〜Ｓ１９８３の処理を実行する部分、音／ランプ制御用マイクロコンピュータ１００ｂにおいて、ステップＳ１９２４〜Ｓ１９２９，Ｓ１９７７〜Ｓ１９８３と同様の処理を実行する部分）とを含み、該異常報知手段は、可変表示制御手段が可変表示装置において識別情報の可変表示を実行しているときにも異常報知を実行可能であり（例えば、演出制御用マイクロコンピュータ１００は、ステップＳ８３５ＡでＹのときステップＳ８３５Ｄを実行し、ステップＳ８４５ＡでＹのときステップＳ８４５Ｄを実行する、音／ランプ制御用マイクロコンピュータ１００ｂは、ステップＳ８３５Ａと同様の処理でＹのときステップＳ８３５Ｄと同様の処理を実行し、ステップＳ８４５Ａと同様の処理でＹのときステップＳ８４５Ｄと同様の処理を実行する）、出力手段は、異常報知手段による異常報知の実行時に、異常報知コマンド送信手段が送信した異常報知コマンドにもとづいて、演出用の電気部品を制御するための制御信号をシリアル信号方式で出力する（例えば、演出制御用マイクロコンピュータ１００において、ステップＳ１９２８，Ｓ１９８３の設定結果にもとづいてステップＳ７０８を実行する部分、音／ランプ制御用マイクロコンピュータ１００ｂにおいて、ステップＳ１９２８，Ｓ１９８３と同様の処理の設定結果にもとづいてステップＳ８８８を実行する部分）ように構成されていてもよい。
【手続補正３】
【補正対象書類名】明細書
【補正対象項目名】００２７
【補正方法】変更
【補正の内容】
【００２７】
請求項８記載の発明によれば、遊技制御手段が、特定遊技状態以外の遊技状態において入賞判定手段が検出信号を入力したことにもとづいて、異常報知の実行を指示するための異常報知コマンドを送信する異常報知コマンド送信手段を含み、演出制御手段が、異常報知コマンド送信手段が送信した異常報知コマンドにもとづいて、演出用の電気部品により異常報知を実行する異常報知手段を含み、異常報知手段が、可変表示制御手段が可変表示装置において識別情報の可変表示を実行しているときにも異常報知を実行可能であるので、異常入賞が生じたことを報知することができるとともに、遊技を継続することが可能であって遊技者が不利益を被らないようにすることができる。
【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
ｐＨ８〜ｐＨ１２のＴＭＡＨ（トリメチルアンモニウムハイドランド）溶液に、ＴＭＡＨ炭酸塩が添加されていることを特徴とする洗浄液。
【請求項２】
インクは、無機顔料と金属酸化物との少なくとも一方がポリマーに混合され、ポリマー溶解溶液を用いて前記インクが付着したノズルプレートを洗浄する第１ステップと、
ポリエチレングリコールモノメチルエーテルアセテートとシクロヘキサンとを含む前記ポリマー溶解溶液による前記第１ステップの洗浄の後に、pH８〜pH１２の弱アルカリ性の洗浄液を使用して前記ノズルプレートを洗浄する第２ステップと、
を備えることを特徴とするノズルプレート洗浄方法。
【請求項３】
前記弱アルカリ性の洗浄液に、炭酸塩が添加されていることを特徴とする請求項２記載のノズルプレート洗浄方法。
【請求項４】
前記第１ステップの後に、ポリマーを溶解されたインクの無機顔料と金属酸化物との両方又は一方がノズルプレートの表面に残っていることを特徴とする請求項２記載のノズルプレート洗浄方法。
【請求項５】
前記第１ステップは、超音波洗浄によって行われることを特徴とする請求項２記載のノズルプレート洗浄方法。
【請求項６】
前記第２ステップは、超音波洗浄によって行われることを特徴とする請求項２記載のノズルプレート洗浄方法。
【請求項７】
前記無機顔料と前記金属酸化物との両方又は一方は、前記第２ステップにおいて前記ノズルプレートから除去されることを特徴とする請求項２記載のノズルプレート洗浄方法。
【請求項８】
前記弱アルカリ性の洗浄液は、前記ノズルプレートの表面を覆っているフッ素系樹脂からなる撥インク膜を傷めることなく前記無機顔料と前記金属酸化物との両方又は一方を除去することを特徴とする請求項２記載のノズルプレートの洗浄方法。
【請求項９】
前記第２ステップにおいて使用される前記弱アルカリ性の洗浄液は、pH８〜pH１２の前記弱アルカリ溶液に５ｐｐｍ〜１％の炭酸塩を添加したものであることを特徴とする請求項２記載のノズルプレートの洗浄方法。
【請求項１０】
前記炭酸塩は、トリメチルアンモニウム化合物であることを特徴とする請求項９記載のノズルプレートの洗浄方法。
【手続補正２】
【補正対象書類名】明細書
【補正対象項目名】０００８
【補正方法】変更
【補正の内容】
【０００８】
本発明の実施の形態に係る第１の特徴は、洗浄液において、ｐＨ８〜ｐＨ１２のＴＭＡＨ（トリメチルアンモニウムハイドランド）溶液に、ＴＭＡＨ炭酸塩が添加されていることである。
【手続補正３】
【補正対象書類名】明細書
【補正対象項目名】０００９
【補正方法】変更
【補正の内容】
【０００９】
本発明の実施の形態に係る第２の特徴は、ノズルプレートの洗浄方法において、インクは、無機顔料と金属酸化物との少なくとも一方がポリマーに混合され、ポリマー溶解溶液を用いて前記インクが付着したノズルプレートを洗浄する第１ステップと、ポリエチレングリコールモノメチルエーテルアセテートとシクロヘキサンとを含む前記ポリマー溶解溶液による前記第１ステップの洗浄の後に、pH８〜pH１２の弱アルカリ性の洗浄液を使用して前記ノズルプレートを洗浄する第２ステップと、を備えることである。
【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
連続した記録媒体を外周面に保持し、回転可能な複数のドラムと、
前記記録媒体を前記複数のドラムに密着させるための張力を生成する張力生成部と、
前記複数のドラムのそれぞれの外周面に対向して配置され、前記記録媒体に画像記録を行う複数の印刷部と、を備え、
前記複数のドラムのうち、前記記録媒体の搬送経路中における最下流に配置されたドラムを駆動ドラムとし、その他のドラムを従動ドラムとしたことを特徴とする画像記録装置。
【請求項２】
前記張力生成部は、前記搬送経路中における前記複数のドラムより上流側、及び下流側にそれぞれ配置されていることを特徴とする請求項１に記載の画像記録装置。
【請求項３】
前記複数のドラムのうち１つのドラムに当該ドラムの回転位置を検出する位置検出部を設け、前記位置検出部で検出された位置信号に基づいてそれぞれの前記印刷部を制御することを特徴とする請求項１、又は２に記載の画像記録装置。
【請求項４】
前記複数のドラムは、少なくとも一部分が上下方向に重なりをもって配置されていることを特徴とする請求項１乃至３のいずれか１項に記載の画像記録装置。
【請求項５】
前記複数のドラムのそれぞれは、前記記録媒体が２０５度以上の巻き付け角で巻き付けられていることを特徴とする請求項１乃至４のいずれか１項に記載の画像記録装置。
【請求項６】
連続した記録媒体を外周面に保持し、前記記録媒体の搬送力によって回転する複数のドラムと、
前記記録媒体を前記複数のドラムに密着させるための張力を生成する張力生成部と、
前記複数のドラムのそれぞれの外周面に対向して配置され、前記記録媒体に画像記録を行う複数の印刷部と、を備え、
前記複数のドラムのうち１つのドラムに当該ドラムの回転位置を検出する位置検出部を設け、前記位置検出部で検出された位置信号に基づいてそれぞれの前記印刷部を制御することを特徴とする画像記録装置。
【手続補正２】
【補正対象書類名】明細書
【補正対象項目名】００１０
【補正方法】変更
【補正の内容】
【００１０】
上記課題を解決するために、本発明の画像記録装置によれば、連続した記録媒体を外周面に保持し、回転可能な複数のドラムと、記録媒体を複数のドラムに密着させるための張力を生成する張力生成部と、複数のドラムのそれぞれの外周面に対向して配置され、記録媒体に画像記録を行う複数の印刷部と、を備え、複数のドラムのうち、記録媒体の搬送経路中における最下流に配置されたドラムを駆動ドラムとし、その他のドラムを従動ドラムとしたことを特徴とする。
また、本発明の画像記録装置は、連続した記録媒体を外周面に保持し、記録媒体の搬送力によって回転する複数のドラムと、記録媒体を複数のドラムに密着させるための張力を生成する張力生成部と、複数のドラムのそれぞれの外周面に対向して配置され、記録媒体に画像記録を行う複数の印刷部と、を備え、複数のドラムのうち１つのドラムに当該ドラムの回転位置を検出する位置検出部を設け、位置検出部で検出された位置信号に基づいてそれぞれの印刷部を制御することを特徴とする。
【手続補正書】
【提出日】平成20年12月4日(2008.12.4)
【手続補正１】
【補正対象書類名】明細書
【補正対象項目名】００２６
【補正方法】変更
【補正の内容】
【００２６】
次に、中間水分食品の原料としていも類を使用する場合、特に品種や大きさを限定するものではなく、一般に用いられているものから適宜選択して用いればよい。具体的な品種としては、さつまいも、ジャガイモ、さといも科（えびいも、八つ頭、セレベス、ハスイモ等）、やまのいも科（長芋、むかご、大和いも、いちょういも等）、クワイ、キクイモ、キャッサバ、タロイモ等が挙げられる。
【手続補正２】
【補正対象書類名】明細書
【補正対象項目名】００２８
【補正方法】変更
【補正の内容】
【００２８】
次に、中間水分食品の原料として果実類を使用する場合、特に品種や大きさを限定するものではなく、一般に用いられているものから適宜選択して用いればよい。具体的な果実としては、プルーン、杏、梅、なつめ、すもも、枇杷、アセロラ、リンゴ、パイナップル、苺、デーツ、オレンジ、柿、バナナ、山査子、ぶどう、マンゴ、いちじく、桑の実、パパイヤ、ピーチ、梨、ブルーベリー、クランベリー、チェリー、グアバ等が挙げられる。
【手続補正３】
【補正対象書類名】明細書
【補正対象項目名】００３２
【補正方法】変更
【補正の内容】
【００３２】
このような多層構造とすることにより、容器１の外からの酸素を遮断すると共に、容器１内に残存する酸素を吸収するため、容器１の収容部３において、収容物である焼栗１０の酸素吸収量を低減させることができ、焼栗１０の品質劣化を防止し得るのである。特に、容器１内の残存酸素を酸素吸収層である酸素吸収剤含有ポリプロピレン層７が吸収する際に、収容部３中の焼栗の表面に残留する水分、もしくは高温で長期保存した場合や加圧加熱殺菌によって生じた結露由来の水分をも吸収するため、焼栗１０表面がべたつかず、また、焼栗１０表面がふやけて食感が軟らかくなることを防止するのである。
すなわち、本発明に係る容器は、酸素バリア層が酸素吸収層よりも容器外側に形成されるように設計することが、外からの酸素の遮断と収容部内の残存酸素の吸収を行い、水分の調整を行う点で重要である。
そして、上記のように水分の調整ができるため、水分が長期間に亘り容器内に貯留することがなく、また、酸素吸収層である酸素吸収剤含有ポリプロピレン層７に吸収される前の容器内に水分が貯留している状態であっても、上記のような多層構造とすることによって、水分が容器外にこぼれ出ることがないため、携帯性に優れるものである。
【手続補正４】
【補正対象書類名】明細書
【補正対象項目名】００４９
【補正方法】変更
【補正の内容】
【００４９】
＜実施例１＞
中国丹東省産の皮付きの生栗を、水洗して、浮き栗や夾雑物、異物（小石や砂、金属、毛髪、糸くず、虫など）を除去した後、包丁で鬼皮、渋皮を完全に除去した。このときの栗果肉の糖度は１２°、色調は黄色味を帯びた白色であった。
次いで、オーブンで１７０℃２０分焼成し、表面に焦げ目をつけると共に、栗果肉内部まで熱を通した。このときの糖度は１６°、色調は淡い黄色であった。
その後、この焼栗を、図１及び２で示した、外側から順に、１２μｍのポリエチレンテレフタレート（熱可塑性ポリエステル）層（符号４）、１５μｍのナイロン層（符号５）、７μｍのアルミ箔層（符号６）、８５μｍの酸素吸収剤含有ポリプロピレン層（符号７）が接着剤（図示せず）を介して接合されたスタンディングパウチ（東洋製罐（株）製「オキシガードパウチ」（「オキシガード」は登録商標））に、６個充填し、窒素ガスの封入によって残存酸素率２．０％未満とした後、ヒートシールによって密封後、１２１℃で３０分間、熱水レトルトにて加熱加圧殺菌処理し、密封容器入り焼栗（水分活性０．９５、水分含量５５±５重量％）を得た。
（残存酸素率の測定法）
ヒートシールによって密封された密封容器中の気体をシリンジで抜き取り、抜き取った気体を酸素濃度計ＬＣ−７５０Ｆ（東レエンジニアリング（株）製）にて測定した。
【手続補正書】
【提出日】平成20年12月4日(2008.12.4)
【手続補正１】
【補正対象書類名】明細書
【補正対象項目名】００１９
【補正方法】変更
【補正の内容】
【００１９】
このような多層構造とすることにより、容器１の外からの酸素を遮断すると共に、容器１内に残存する酸素を吸収するため、容器１の収容部３において、収容物である調理栗１０の酸素吸収量を低減させることができ、調理栗１０の品質劣化を防止し得、加熱調理直後の調理栗１０の色調を長期間保持し得るのである。また、容器１内の残存酸素を酸素吸収層である酸素吸収剤含有ポリプロピレン層７が吸収する際に、収容部３中の調理栗１０の表面に残留する水分、もしくは高温で長期保存した場合や加圧加熱殺菌によって生じた結露由来の水分をも吸収するため、調理栗１０表面がべたつかず、また、調理栗１０表面がふやけて食感が軟らかくなることを防止するのである。
すなわち、本発明に係る容器は、酸素バリア層が酸素吸収層よりも容器外側に形成されるように設計することが、外からの酸素の遮断と収容部内の残存酸素の吸収を行い、調理栗の変色を防止する点及びべたつきを防止する点で重要である。
【手続補正２】
【補正対象書類名】明細書
【補正対象項目名】００３４
【補正方法】変更
【補正の内容】
【００３４】
＜実施例１＞
中国丹東省産の皮付きの生栗を、水洗して、浮き栗や夾雑物、異物（小石や砂、金属、毛髪、糸くず、虫など）を除去した後、包丁で鬼皮、渋皮を完全に除去した。このときの栗果肉の糖度は１２°、色調は黄色味を帯びた白色であった。
次いで、オーブンで１７０℃２０分焼成し、表面に焦げ目をつけると共に、栗果肉内部まで熱を通した。このときの糖度は１６°、色調は淡い黄色であった。
その後、この焼成した剥き栗を、図１及び２で示した、外側から順に、１２μｍのポリエチレンテレフタレート（熱可塑性ポリエステル）層（符号４）、１５μｍのナイロン層（符号５）、７μｍのアルミ箔層（符号６）、８５μｍの酸素吸収剤含有ポリプロピレン層（符号７）が接着剤（図示せず）を介して接合されたスタンディングパウチ（東洋製罐（株）製「オキシガードパウチ」（「オキシガード」は登録商標））に、６個充填し、窒素ガスの封入によって残存酸素率２．０％未満とした後、ヒートシールによって密封後、１２１℃で３０分間、熱水レトルトにて加熱加圧殺菌処理し、密封容器入り調理栗を得た。（残存酸素率の測定法）
ヒートシールによって密封された密封容器中の気体をシリンジで抜き取り、抜き取った気体を酸素濃度計ＬＣ−７５０Ｆ（東レエンジニアリング（株）製）にて測定した。
【手続補正書】
【提出日】平成21年9月13日(2009.9.13)
【手続補正１】
【補正対象書類名】特許請求の範囲
【補正対象項目名】全文
【補正方法】変更
【補正の内容】
【特許請求の範囲】
【請求項１】
合成樹脂モノフィラメントからなり、繊維軸方向において複数の径大部を有し、前記径大部内に芯材を配したブラシ用毛材。
【請求項２】
芯材の材料として、無機物或いは、合成樹脂モノフィラメントに使用される合成樹脂より融点の高い合成樹脂を使用した請求項１に記載のブラシ用毛材。
【請求項３】
芯材の材料としての無機物には、酸化アルミニウム、炭化ケイ素、炭化ホウ素、酸化鉄、酸化クロム、ダイヤモンド、タルク、カオリン、珪藻土、珪石、あるいは炭酸カルシウムの少なくとも１種類以上を用いた請求項２に記載のブラシ用毛材。
【請求項４】
合成樹脂モノフィラメント用の合成樹脂を溶融紡糸する際に、前記合成樹脂に芯材を混入させることを特徴とする請求項１〜３のいずれか１項に記載のブラシ用毛材の製造方法。
【手続補正２】
【補正対象書類名】明細書
【補正対象項目名】００１９
【補正方法】変更
【補正の内容】
【００１９】
第３の発明は、特に、第２の発明の芯材の材料としての無機物には、酸化アルミニウム、炭化ケイ素、炭化ホウ素、酸化鉄、酸化クロム、ダイヤモンド、タルク、カオリン、珪藻土、珪石、あるいは炭酸カルシウムの少なくとも１種類以上を用いるもので、研削力に優れ、製品や部品のエッジ部に形成されたバリの除去に極めて有効なブラシ用毛材を提供することが出来る。特に、酸化鉄、酸化クロムは、高い研磨力を有している。
【手続補正書】
【提出日】平成21年8月18日(2009.8.18)
【手続補正１】
【補正対象書類名】特許請求の範囲
【補正対象項目名】全文
【補正方法】変更
【補正の内容】
【特許請求の範囲】
【請求項１】
オルニチンまたはその塩を、酢を含有する飲食品に添加することを特徴とする、酢を含有する飲食品の酢かど抑制方法。
【請求項２】
酢を含有する飲食品が酢を含有する飲料である請求項１記載の方法。
【請求項３】
酢を含有する飲食品が酢を含有する調味料である請求項１記載の方法。
【請求項４】
酢を含有する調味料が加工酢、ソース類、マヨネーズ、ドレッシング類およびケチャップからなる群から選ばれる1以上の調味料である請求項３記載の方法。
【請求項５】
酢が黒酢である請求項１〜４のいずれか１項記載の方法。
【請求項６】
オルニチンの添加量が酢に対する重量比で0.005〜1である請求項１〜５のいずれか１項記載の方法。
【請求項７】
オルニチンまたはその塩を有効成分として含有する酢かど抑制剤。
【請求項８】
酢が黒酢である請求項７記載の酢かど抑制剤。
【手続補正２】
【補正対象書類名】明細書
【補正対象項目名】００２５
【補正方法】変更
【補正の内容】
【００２５】
食酢100ｇ、醤油100ｇにオルニチン塩酸塩5ｇを添加、混合し、酢かどが抑制された二杯酢を製造する。マダコの足200ｇに塩3ｇを添加してよくもみ、塩茹でし、薄切りにしたのち、該二杯酢であえて、酢かどが抑制された蛸の酢の物を製造する。
【手続補正書】
【提出日】平成21年9月13日(2009.9.13)
【手続補正１】
【補正対象書類名】特許請求の範囲
【補正対象項目名】全文
【補正方法】変更
【補正の内容】
【特許請求の範囲】
【請求項１】
自動車あるいは車両の外面の被洗浄面に付着した汚れ等を洗浄する為の洗車機に使用する洗車機用洗浄ブラシにおいて、前記洗車機用洗浄ブラシは、ブラシ片と取付部を有するブラシ体、及び軸体を有し、前記ブラシ体は前記軸体にたいして貫通されてあると共に、前記軸体の外周部に前記取付部にて装着され、前記取付部は前記軸体の長手方向にたいして位相差を有して複数形成されてあり、前記ブラシ片は複数の異種ブラシ部材が接合されてあると共に、前記ブラシ部材は洗浄側及び前記軸体側に構成されてあることを特徴とする洗車機用洗浄ブラシ。
【請求項２】
請求項１記載の構成よりなる洗車機用洗浄ブラシにおいて、洗浄側に構成したブラシ部材は不織布及び極微細な気泡を有する多孔質化されたポリウレタンよりなる二重構造体にて形成されてあることを特徴とする洗車機用洗浄ブラシ。
【請求項３】
請求項１記載の構成よりなる洗車機用洗浄ブラシにおいて、洗浄側に構成したブラシ部材は不織布にて形成されてあり、前記不織布を形成する繊維の一部は外周面の長手方向に沿ってスリットを有し、該スリットにより発生した角部が少なくとも二箇所以上形成されてあることを特徴とする洗車機用洗浄ブラシ。
【請求項４】
請求項１から３のいずれか１項に記載の構成よりなる洗車機用洗浄ブラシにおいて、洗浄側に構成したブラシ部材と軸体側に構成したブラシ部材との接合部は、軸体の取付部からの距離が異なるように形成されてあることを特徴とする洗車機用洗浄ブラシ。
【請求項５】
請求項１から４のいずれか１項に記載の構成よりなる洗車機用洗浄ブラシにおいて、洗浄側に構成したブラシ部材はスリット又は／及び細分割部を有することを特徴とする洗車機用洗浄ブラシ。
【請求項６】
駆動源と、被洗浄面に散布する洗浄剤及び洗浄水を噴出させるノズルと、洗浄後の被洗浄面を乾燥させる乾燥手段を備えると共に、請求項１から５のいずれか１項に記載の洗車機用洗浄ブラシを搭載した洗車機。
【手続補正２】
【補正対象書類名】明細書
【補正対象項目名】００１６
【補正方法】変更
【補正の内容】
【００１６】
第２の発明は、特に、第１の発明の洗車機用洗浄ブラシにおいて、洗浄側に構成したブラシ部材は不織布及び極微細な気泡を有する多孔質化されたポリウレタンよりなる二重構造体にて形成されてあるもので、ブラシ部材は多孔質化されたポリウレタンを有する為、柔軟性に優れ、被洗浄面にたいして均一に密着すると共に、不織布が効率よく確実に汚れを除去する。
【手続補正３】
【補正対象書類名】明細書
【補正対象項目名】００１７
【補正方法】変更
【補正の内容】
【００１７】
第３の発明は、特に、第１の発明の洗車機用洗浄ブラシにおいて、洗浄側に構成したブラシ部材は不織布にて形成されてあり、前記不織布を形成する繊維の一部は外周面の長手方向に沿ってスリットを有し、該スリットにより発生した角部が少なくとも二箇所以上形成されてあるもので、不織布が柔軟に被洗浄面に当接すると共に、繊維の有する角部が汚れを掻き取るように除去する。
【手続補正４】
【補正対象書類名】明細書
【補正対象項目名】００１８
【補正方法】変更
【補正の内容】
【００１８】
第４の発明は、特に、第１から第３のいずれかの発明の洗車機用洗浄ブラシにおいて、洗浄側に構成したブラシ部材と軸体側に構成したブラシ部材との接合部は、軸体の取付部からの距離が異なるように形成されてあるもので、ブラシ体の毛腰に強弱が付与され、ブラシ体は被洗浄面にたいして、一層異なる押付力にて面接触して当接する為、被洗浄面に強固に付着している汚れも掻き落して除去することができる。その為、洗浄性が大幅に向上する。
【手続補正５】
【補正対象書類名】明細書
【補正対象項目名】００１９
【補正方法】変更
【補正の内容】
【００１９】
第５の発明は、特に、第１から第４のいずれかの発明の洗車機用洗浄ブラシにおいて、洗浄側に構成したブラシ部材はスリット又は／及び細分割部を有するもので、スリットにより分割された分割片、細分割部により被洗浄面の細かな凹凸部にも分割片、細分割部が接触して汚れを掻き出す為、洗浄性が飛躍的に向上する。